【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
複数の走査配線と複数の変調配線によってマトリックス状に配線された複数の電子放出素子を有する電子源と、
該電子源に対向して設けられ、前記電子放出素子から放出された電子の照射によって各電子放出素子に対応して各々異なる位置に輝点が形成される被照射部材と、
前記電子源と前記被照射部材との間の空間を維持するスペーサと、
を備えた画像表示装置の駆動方法であって、
所定方向に前記スペーサをはさんで隣接する第１の輝点と第２の輝点との間隔が所定の間隔よりも狭く、
前記スペーサを挟まずに前記第１の輝点と隣接する第３の輝点と、前記第１の輝点との前記所定方向の間隔が前記所定の間隔よりも広く、
前記スペーサは、前記第１の輝点を形成する電子を該スペーサに近づく方向に偏向させ、かつ前記第２の輝点を形成する電子を該スペーサに近づく方向に偏向させるものであり、
前記第１の輝点の光量が、画像信号によって該第１の輝点と同一の光量が要求される他の輝点の光量に対して相対的に小さくなる補正が行われることを特徴とする画像表示装置の駆動方法。
【請求項２】
複数の走査配線と複数の変調配線によってマトリックス状に配線された複数の電子放出素子を有する電子源と、
該電子源に対向して設けられ、前記電子放出素子から放出された電子の照射によって各電子放出素子に対応して各々異なる位置に輝点が形成される被照射部材と、
前記電子源と前記被照射部材との間の空間を維持するスペーサと、
を備えた画像表示装置の駆動方法であって、
所定方向に前記スペーサをはさんで隣接する第１の輝点と第２の輝点との間隔が所定の間隔よりも広く、
前記スペーサを挟まずに前記第１の輝点と隣接する第３の輝点と、前記第１の輝点との前記所定方向の間隔が前記所定の間隔よりも狭く、
前記スペーサは、前記第１の輝点を形成する電子を該スペーサから離れる方向に偏向させ、かつ前記第２の輝点を形成する電子を該スペーサから離れる方向に偏向させるもので
あり、
前記第１の輝点の光量が、画像信号によって該第１の輝点と同一の光量が要求される他の輝点の光量に対して相対的に大きくなる補正が行われることを特徴とする画像表示装置の駆動方法。
【請求項３】
前記複数の電子放出素子は、列方向に略均等な間隔で配列されていることを特徴とする請求項１または２に記載の画像表示装置の駆動方法。
【請求項４】
前記複数の電子放出素子は、行方向に略均等な間隔で配列されていることを特徴とする請求項１〜３のいずれか一つに記載の画像表示装置の駆動方法。
【請求項５】
前記画像表示装置は、前記電子源を駆動する駆動回路を有しており、該駆動回路は、マトリックス状に配列された複数の電子放出素子から放出させる電子の前記被照射部材への到達条件を制御する回路であることを特徴とする請求項１〜４のいずれか一つに記載の画像表示装置の駆動方法。
【請求項６】
前記画像表示装置は、前記補正の補正量を調整する手段を備えることを特徴とする請求項１〜５のいずれか一つに記載の画像表示装置の駆動方法。
【請求項７】
前記補正は、入力画像信号を補正することによって行うことを特徴とする請求項１〜６のいずれか一つに記載の画像表示装置の駆動方法。
【請求項８】
前記画像表示装置は、前記入力画像信号を変換する複数の変換特性を記憶するメモリを有しており、前記補正は、前記入力画像信号を変換する変換特性を選択することによって行うことを特徴とする請求項７に記載の画像表示装置の駆動方法。
【請求項９】
前記画像表示装置は、前記補正を他の補正と合わせて行うための補正テーブルを有しており、該補正テーブルを用いて前記補正を他の補正と合わせて行うことを特徴とする請求項１〜８のいずれか一つに記載の画像表示装置の駆動方法。
【請求項１０】
前記補正テーブルから出力された補正値を画像信号に乗算することで補正を行うことを特徴とする請求項９に記載の画像表示装置の駆動方法。
【請求項１１】
前記他の補正は逆ガンマ変換であることを特徴とする請求項９に記載の画像表示装置の駆動方法。
【請求項１２】
前記補正によって、前記スペーサの近傍と非近傍とにおける視覚上の輝度の差が減少することを特徴とする請求項１もしくは２に記載の画像表示装置の駆動方法。
【請求項１３】
更に、逆ガンマ補正を行う工程を有することを特徴とする請求項１または２に記載の画像表示装置の駆動方法。
【手続補正２】
【補正対象書類名】明細書
【補正対象項目名】発明の名称
【補正方法】変更
【補正の内容】
【発明の名称】画像表示装置の駆動方法
【手続補正３】
【補正対象書類名】明細書
【補正対象項目名】０００１
【補正方法】変更
【補正の内容】
【０００１】
本発明は、複数の輝点によって画像を形成する画像表示装置の駆動方法に関するものである。
【手続補正４】
【補正対象書類名】明細書
【補正対象項目名】００１１
【補正方法】変更
【補正の内容】
【００１１】
本発明は簡易な構成で、形成する画像の品質の向上を図った画像表示装置の駆動方法を提供することを課題とする。
【手続補正５】
【補正対象書類名】明細書
【補正対象項目名】００１２
【補正方法】変更
【補正の内容】
【００１２】
本発明の一態様に係る画像表示装置の駆動方法は、
複数の走査配線と複数の変調配線によってマトリックス状に配線された複数の電子放出素子を有する電子源と、
該電子源に対向して設けられ、前記電子放出素子から放出された電子の照射によって各電子放出素子に対応して各々異なる位置に輝点が形成される被照射部材と、
前記電子源と前記被照射部材との間の空間を維持するスペーサと、
を備えた画像表示装置の駆動方法であって、
所定方向に前記スペーサをはさんで隣接する第１の輝点と第２の輝点との間隔が所定の間隔よりも狭く、
前記スペーサを挟まずに前記第１の輝点と隣接する第３の輝点と、前記第１の輝点との前記所定方向の間隔が前記所定の間隔よりも広く、
前記スペーサは、前記第１の輝点を形成する電子を該スペーサに近づく方向に偏向させ、かつ前記第２の輝点を形成する電子を該スペーサに近づく方向に偏向させるものであり、
前記第１の輝点の光量が、画像信号によって該第１の輝点と同一の光量が要求される他の輝点の光量に対して相対的に小さくなる補正が行われることを特徴とする画像表示装置の駆動方法である。
【手続補正６】
【補正対象書類名】明細書
【補正対象項目名】００１３
【補正方法】変更
【補正の内容】
【００１３】
本発明の一態様に係る画像表示装置の駆動方法は、
複数の走査配線と複数の変調配線によってマトリックス状に配線された複数の電子放出素子を有する電子源と、
該電子源に対向して設けられ、前記電子放出素子から放出された電子の照射によって各電子放出素子に対応して各々異なる位置に輝点が形成される被照射部材と、
前記電子源と前記被照射部材との間の空間を維持するスペーサと、
を備えた画像表示装置の駆動方法であって、
所定方向に前記スペーサをはさんで隣接する第１の輝点と第２の輝点との間隔が所定の間隔よりも広く、
前記スペーサを挟まずに前記第１の輝点と隣接する第３の輝点と、前記第１の輝点との前記所定方向の間隔が前記所定の間隔よりも狭く、
前記スペーサは、前記第１の輝点を形成する電子を該スペーサから離れる方向に偏向させ、かつ前記第２の輝点を形成する電子を該スペーサから離れる方向に偏向させるものであり、
前記第１の輝点の光量が、画像信号によって該第１の輝点と同一の光量が要求される他の輝点の光量に対して相対的に大きくなる補正が行われることを特徴とする画像表示装置の駆動方法である。
【手続補正７】
【補正対象書類名】明細書
【補正対象項目名】０２２７
【補正方法】変更
【補正の内容】
【０２２７】
１  画像表示装置
２  電子源
３  被照射部材
４  偏向原因部材
１０１  表示パネル
１０３  デコーダ
１０４  タイミング信号発生回路
１０５  Ｓ／Ｈ回路
１０６  変換回路
１０７  パルス幅変調回路
１００８  電圧駆動回路
２００  変換回路
２０１  カウンタ
２０３  乗算器
１００１  電子放出素子
１００１Ａ  素子電極
１００１Ｂ  素子電極
１００１Ｄ  電子放出部
１００２  列方向配線
１００３  行方向配線
１００３Ｚ  絶縁層
１００４  走査回路
１００５  変調回路
１００６  スペーサ
６００１  スペーサ
７００１  スペーサ母材
７００２  導電性膜
７００３  プラチナ電極
１０００１  電子源基板
１０００２  ガラス基板
１０００３  蛍光体
１０００４  メタルバック